(57)【特許請求の範囲】
【請求項１】
隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着するため、前記縁材を、上下方向に長寸の中空の縁材本体と、その上下面を被覆する、外面が滑面である頂板と、その内面に縁材本体への取付部を設けたキャップとにより形成し、このキャップに、前記連結板の軸孔と位置を整合させた筒軸を設け、この筒軸を、前記連結板の軸孔に内嵌させ、かつ枢軸を、ギヤの通孔、およびキャップの筒軸の筒孔を貫挿させて、縁材本体に設けた螺孔に螺挿することにより、前記連結板とギヤとを、縁材に締着したことを特徴とするフレキシブルパーテイションにおけるパネルの連結構造。
【請求項２】
隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着するため、前記縁材を、上下方向に長寸の中空の縁材本体と、その上下面を被覆する、外面が滑面である頂板と、その内面に縁材本体への取付部を設けたキャップとにより形成し、取付部の外周面には、上下方向の縦リブを設け、取付部が縁材本体の中空部内に密嵌されるようになし、このキャップに、前記連結板の軸孔と位置を整合させた筒軸を設け、この筒軸を、前記連結板の軸孔に内嵌させ、かつ枢軸を、ギヤの通孔を貫挿させて、キャップの前記筒軸の筒孔に螺挿することにより、前記連結板とギヤとを縁材に締着したことを特徴とするフレキシブルパーテイションにおけるパネルの連結構造。
【請求項３】
隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着し、隣り合う、高さの異なるパネルを対向させ、高さの大きいパネル側の縁材を、高さの小さいパネル側の縁材と同じ高さとしたことを特徴とするフレキシブルパーテイションにおけるパネルの連結構造。
【請求項４】
前記パネルを、少なくともパネル板と、その側端に取付けた側部枠材とより形成し、この側部枠材に、前記縁材の突条を嵌合させる嵌合溝を設けたことを特徴とする請求項１〜３のいずれかに記載のフレキシブルパーテイションにおけるパネルの連結構造。
【請求項５】
前記パネルの側部枠材を、角柱状とし、その前面に、前記縁材の突条を嵌合させる上下方向の嵌合溝を設けるとともに、後面中央に縦条を突設し、この縦条を前記パネル板の側端に設けた縦溝に嵌挿させてパネルを形成したことを特徴とする請求項４記載のフレキシブルパーテイションにおけるパネルの連結構造。
【発明の詳細な説明】
【０００１】
【発明の属する技術分野】
本発明は、例えばオフィス内の執務室や応接室等を簡単に区画するために用いられる回動自在なフレキシブルパーテイションに関し、特にフレキシブルパーテイションにおける、隣接するパネル同士の連結構造に関する。
【０００２】
【従来の技術】
従来のフレキシブルパーテイションとしては、種々のものが公知であり、例えば、特開平７−３４５７３号公報にも記載されている。
このフレキシブルパーテイションは、上下を向く複数のパネル材を、隣り合うパネル材の側端面同士を対向させて配設し、パネル材の側端面に設けた、開口部を狭幅とした上下を向くほぼ円形断面の連結溝に、可撓性の連結材の両端に設けた上下を向く円柱状の嵌合部を嵌合して構成されている。
【０００３】
【発明が解決しようとする課題】
しかし、従来公知のフレキシブルパーテイションは、前記公報記載のものも含め、パネル材の連結構造が、フレキシブルパーテイション専用に組立てられており、部品を一部交換しても、フレキシブルでない通常のパネル材の連結構造には利用できなかった。
本発明は、かかる現状に鑑み、直列を初めとして、部品を一部交換して、直線状、直角状、Ｔ字状、十字状など、通常のパネル材の連結構造にも利用できるフレキシブルパーテイションにおけるパネル材の連結構造を提供することを目的とする。
【０００４】
【課題を解決するための手段】
本発明によると、上記課題は、次のようにして解決される。
(１)  隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着するため、前記縁材を、上下方向に長寸の中空の縁材本体と、その上下面を被覆する、外面が滑面である頂板と、その内面に縁材本体への取付部を設けたキャップとにより形成し、このキャップに、前記連結板の軸孔と位置を整合させた筒軸を設け、この筒軸を、前記連結板の軸孔に内嵌させ、かつ枢軸を、ギヤの通孔、およびキャップの筒軸の筒孔を貫挿させて、縁材本体に設けた螺孔に螺挿することにより、前記連結板とギヤとを、縁材に締着したことを特徴とするフレキシブルパーテイションにおけるパネルの連結構造とする。
【０００５】
（２）隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着するため、縁材を、上下方向に長寸の中空の縁材本体と、その上下面を被覆する、外面が滑面である頂板と、その内面に縁材本体への取付部を設けたキャップとにより形成し、取付部の外周面には、上下方向の縦リブを設け、取付部が縁材本体の中空部内に密嵌されるようになし、このキャップに、前記連結板の軸孔と位置を整合させた筒軸を設け、この筒軸を、前記連結板の軸孔に内嵌させ、かつ枢軸を、ギヤの通孔を貫挿させて、キャップの前記筒軸の筒孔に螺挿することにより、前記連結板とギヤとを縁材に締着したことを特徴とするフレキシブルパーテイションにおけるパネルの連結構造とする。
【０００６】
(３)  隣り合うパネルの対向する側端部に設けた、開口部を狭幅とした上下方向の嵌合溝に、前面を円弧状とした１対の平面視半円形の縁材の後面に設けた、先端を広幅とした上下方向の突条を嵌合して、両縁材の前記円弧状面を対向させるとともに、縁材の上下面に、半円形とした両端部に軸孔を穿設した連結板と、前記縁材とほぼ同じ円弧状面に形成したギヤ歯を、相互に噛合させ、かつ、前記連結板の軸孔と位置を整合させて通孔を穿設した１対のギヤとを重合して配設し、さらに先端に螺子部を有する枢軸を、前記通孔および軸孔へ貫挿させて、縁材の上下端部に設けた螺孔に螺挿して、前記連結板とギヤとを縁材に締着し、隣り合う、高さの異なるパネルを対向させ、高さの大きいパネル側の縁材を、高さの小さいパネル側の縁材と同じ高さとしたことを特徴とするフレキシブルパーテイションにおけるパネルの連結構造とする。
【０００７】
(４)  上記(１)項〜(３)項のいずれかにおいて、前記パネルを、少なくともパネル板と、その側端に取付けた側部枠材とより形成し、この側部枠材に、前記縁材の突条を嵌合させる嵌合溝を設ける。
【０００８】
(５)  上記(４)項において、前記パネルの側部枠材を、角柱状とし、その前面に、前記縁材の突条を嵌合させる上下方向の嵌合溝を設けるとともに、後面中央に縦条を突設し、この縦条を前記パネル板の側端に設けた縦溝に嵌挿させてパネルを形成する。
【０００９】
【発明の実施の形態】
図１は、本発明の、フレキシブルパーテイションにおけるパネルの連結構造の一実施形態を示す要部斜視図、図２は、その分解斜視図である。
図示するように、本発明の連結構造は、基本的に、隣り合うパネル(１)(１)の対向する側端部に、それぞれ取付けた縁材(２)(２)の円弧状面を対向させ、その縁材(２)(２)の上下面に、重合して配設した１対の噛合するギヤ(３)(３)と、両パネル(１)(１)を連結する連結板(４)とを、１対の枢軸(５)(５)を用いて、各縁材(２)(２)に締着させて形成されている。
【００１０】
パネル(１)は、パネル板(６)と、その側端、上下端にそれぞれ取付けた側部枠材(７)、横枠材（図においては、上部横枠材(８)のみを示す）とより形成されている。
側部枠材(７)は、中空の角柱状をなし、その後面中央に平面視長方形の縦条(7a)が突設され、この縦条(7a)を、パネル板(６)の側端に設けられた縦溝(6a)に嵌挿させることによって、側部枠材(７)は、パネル板(６)の側端に取付けられている。
【００１１】
縁材(２)は、上下方向に長寸の中空の縁材本体(９)と、その上下面を被覆するキャップ(10)とより形成されている。
縁材本体(９)は、平面視半円形であり、対向する前面(9a)が円弧状をなし、後面(9b)の左右両端に、平面視矢先形の突条(9c)が設けられ、この突条(9c)を、前記側部枠材(７)の前面(7b)の左右両端に設けられた、前記突条(9c)と補形をなす、開口部を狭幅とした上下方向の嵌合溝(7c)に嵌合させて、縁材本体(９)は、側部枠材(７)に取付けられている。
【００１２】
キャップ(10)は、縁材本体(９)と同じ半円形の、上面が滑面である頂板(10a)の下面に、縁材本体(９)に内嵌しうる形状の取付部(10b)を設け、かつ頂板(10a)の中央に筒軸(10c)を立設して形成されている。
【００１３】
対向する縁材(２)(２)は、連結板(４)によって連結されている。すなわち、連結板(４)は、半円形とした両端部に軸孔(4a)を穿設して形成され、その軸孔(4a)に、縁材(２)におけるキャップ(10)の頂板(10a)の上面に立設された筒軸(10c)を内嵌させることによって、対向する縁材(２)(２)は連結されている。
また、キャップ(10)の頂板(10a)上面が滑面であるため、連結板(４)は、頂板(10a)上面上を円滑に回動する。
【００１４】
連結板(４)の上方には、相互に噛合させた１対のギヤ(３)(３)が配設されている。ギヤ(３)は、前記縁材(２)とほぼ同じ円弧状面にギヤ歯を形成するとともに、前記連結板(４)の軸孔(4a)と位置を整合させた通孔(3a)を穿設し、かつ後部両側から支持片(3b)を垂下させて形成されている。前記ギヤ(３)の支持片(3b)は、キャップ(10)の後部両側の切欠部(10e)に嵌挿され、ギヤ(３)がキャップ(10)に対して回動することを防止する機能を有する。
【００１５】
図２において、ギヤ(３)の上方から、枢軸(５)を、ギヤ(３)の通孔(3a)、およびキャップ(10)の筒軸(10c)の筒孔(10d)を貫挿させ、縁材本体(９)の内部に設けた螺孔(9d)に螺挿して、前記連結板(４)とギヤ(３)とを縁材(２)に締着してある。
【００１６】
なお、別の実施形態として、縁材(２)を、前記と同様に、上下方向に長寸の中空の縁材本体(９)と、その上下面を被覆する、外面が滑面である頂板(10a)と、その内面に縁材本体(９)への取付部(10b)を設けたキャップ(10)とにより形成し、取付部(10b)の外周面には、図２に示すように上下方向の縦リブを設け、取付部(10b)が縁材本体(９)の中空部内に密嵌されるようになし、このキャップ(10)に、前記連結板(４)の軸孔(4a)と位置を整合させた筒軸(10c)を設け、この筒軸(10c)を、前記連結板(４)の軸孔(4a)に内嵌させ、かつ枢軸(５)を、ギヤ(３)の通孔(3a)を貫挿させて、キャップ(10)の前記筒軸(10c)の筒孔に螺挿することにより、前記連結板(４)とギヤ(３)とを縁材(２)に締着するようにしてもよい。
【００１７】
パネル板(６)の上端部における、上部枠材(８)とギヤ(３)間には、コーナキャップ(11)を取付け、上部枠材(８)、コーナキャップ(11)、ギヤ(３)の上面が、ほぼ同一平面となるようにしてある。
【００１８】
隣り合うパネル(１)(１)のうち、一方を他方に対して相対的に回動させると、回動させるパネル(１)側のギヤ(３)が、他方のパネル(１)側のギヤ(３)の回りに、噛合したまま回動し、左右に１８０度ずつ、つまり３６０度自在に回動させることができる。
【００１９】
図３は、高さが異なる２枚のパネル(12)(13)を、フレキシブルパーテイションとして連結した場合の斜視図である。図示するように、高さの大きいパネル(12)側の縁材(12a)を、高さの小さいパネル(13)側の縁材(13a)と同じ高さとし、これら縁材(12a)(13a)の上下面に、前記した高さが同じパネル(１)(１)同士の連結の場合と同様にして、連結板(４)および１対のギヤ(３)(３)を枢軸(５)によって締着することによって、両パネル(12)(13)を、段違いとして、３６０度回動自在に連結することができる。
【００２０】
一方、フレキシブルパーテイションとしてではなく、パネルを直線状、直角状、Ｔ字状、十字状などに連結するには、次のようにすればよい。
図４は、パネル(１)(１)を、直線状に連結した場合の要部を示す平面図である。
図１〜図３に示した実施形態における、縁材(２)、ギヤ(３)、連結板(４)などを取りはずした２枚のパネル(１)(１)を突き合わせ、両パネル(１)の側部枠材(７)を、連結部材(14)を用いて連結してある。
【００２１】
連結部材(14)は、図５に斜視図を示すように、長方形の平板(14a)の上面に、角錐台形の摘み部(14b)を２個並設するとともに、平板(14a)の一方の長辺側の側面(14c)の左右に、平面視が外向きの三角形を細片で前記側面(14c)と連結した形状の、上下方向の外向突条(14d)を、平板(14a)の下方に至るまで垂下させて形成し、かつその外向突条(14d)における平板(14a)より下側部分の背面に、それと対称な内向突条(14e)を設けて形成されている。
【００２２】
この連結部材(14)の内向突条(14e)を、一方のパネル(１)側の側部枠材(７)の嵌合溝(7c)に嵌挿させるとともに、外向突条(14d)を他方のパネル(１)側の側部枠材(７)の嵌合溝(7c)に嵌挿させることにより、両パネル(１)(１)が、側部枠材(７)を介して、直線状に連結されている。
【００２３】
図６は、パネル(１)(１)を、直角状に連結した場合の要部を示す平面図である。
２枚のパネル(１)(１)が、コーナ部材(15)を介して、直角に配設されている。
コーナ部材(15)は、正四角柱状であり、各側面の左右端に、前記側部枠材(７)の嵌合溝(7c)と同形の嵌合溝(15a)が設けられている。
【００２４】
図５に示した連結部材(14)の内向突条(14e)を、各パネル(１)の側部枠材(７)の嵌合溝(7c)に嵌挿するとともに、外向突条(14d)を、コーナ部材(15)の嵌合溝(5a)に嵌挿することにより、２枚のパネル(１)(１)が、コーナ部材(15)および連結部材(14)を介して、直角状に連結されている。
【００２５】
図７は、パネル(１)を十字状に連結した場合の要部を示す平面図である。
４枚のパネル(１)が、コーナ部材(15)を介して、対向させて配設されている。
図５に示した連結部材(14)の内向突条(14e)を、各パネル(１)の側部枠材(７)の嵌合溝(7c)に嵌挿するとともに、外向突条(14d)を、コーナ部材(15)の嵌合溝(15a)に嵌挿させることにより、４枚のパネル(１)が、コーナ部材(15)および連結部材(14)を介して十字状に連結されている。
【００２６】
図８は、パネル(１)を、Ｔ字状に連結した場合の要部を示す平面図である。
Ｔ字状に連結する場合には、図９に斜視図を示す連結部材(16)を用いる。
この連結部材(16)は、長方形の平板(16a)の上面に角錐台形の摘み部(16b)を２個並設するとともに、平板(16a)の下面中央に、図５に示した連結部材(14)における平板(14a)の下方の外向突条(14d)と内向突条(14e)が一体化した部分と同形の連結突条(16c)を垂設して形成されている。
したがって、連結突条(16c)は、第１、第２の２つの外向突条(16d)(16e)を有する。
【００２７】
図８に示すように、３枚のパネル(１)の各側部枠材(７)の嵌合部(7c)に、前記連結部材(16)の、たとえば第１外向突条(16d)を嵌合するとともに、隣接する側部枠材(７)の嵌合部(7c)に第２外向突条(16e)を嵌合させることにより、３枚のパネル(１)が、３個の連結部材(16)を介して、Ｔ字状に連結されている。
【００２８】
図１０は、図９に示した連結部材(16)を用いて、パネル(１)を直線状に連結した場合の要部を示す平面図である。
連結部材(16)の、たとえば第１外向突条(16d)を、一方のパネル(１)側の側部枠材(７)の嵌合溝(7c)に嵌挿するとともに、第２外向突条(16e)を、他方のパネル(１)側の側部枠材(７)の嵌合溝(7c)に嵌挿することにより、２枚のパネル(１)(１)が、２個の連結部材(16)を介して、直線状に連結されている。
【００２９】
【発明の効果】
本発明によると、次のような効果を奏することができる。
(１)  請求項１および２記載の発明によれば、３６０度円滑に回動自在にしたフレキシブルパーテイションにおけるパネルの連結構造が得られるとともに、一部の部品を交換して、直線状、直角状、Ｔ字状、十字状など通常のパネルの連結構造とすることができる。
また、ギヤと連結板とを、位置を安定させて、縁材に強固に取付けることができる。そのためパネルのがたつきがなく円滑に回動しうる、フレキシブルパーテイションにおけるパネルの連結構造が得られる。
【００３０】
(２)  請求項３記載の発明によれば、高さの異なるパネルを、３６０度円滑に回動自在にしたフレキシブルパーテイションにおけるパネルの連結構造が得られるとともに、一部の部品を交換して、直線状、直角状、Ｔ字状、十字状など通常のパネルの連結構造とすることができる。
【００３１】
(３)  請求項４記載の発明によれば、パネル板を種々の異なる種類のものに交換することができる。
【００３２】
(４)  請求項５記載の発明によれば、側部枠材に取付ける連結用部品を、フレキシブルパーテイション用のものと、直線状、直角状、Ｔ字状、十字状などの連結用のものと容易に交換することができる。
【図面の簡単な説明】
【図１】  本発明の連結構造の一実施形態を示す要部の斜視図である。
【図２】  図１に示す連結構造の分解斜視図である。
【図３】  高さの異なるパネルを連結したときの要部の斜視図である。
【図４】  パネルを直線状に連結したときの要部の平面図である。
【図５】  図４に示す連結構造に用いる連結部材の斜視図である。
【図６】  パネルを直角状に連結したときの要部の平面図である。
【図７】  パネルを十字状に連結したときの要部の平面図である。
【図８】  パネルをＴ字状に連結したときの要部の平面図である。
【図９】  図８に示す連結構造に用いる連結部材の斜視図である。
【図１０】  パネルを、図９に示す連結部材を用いて直線状に連結したときの要部の平面図である。
【符号の説明】
(１)パネル
(２)縁材
(３)ギヤ
(3a)通孔
(3b)支持片
(４)連結板
(4a)軸孔
(５)枢軸
(６)パネル板
(6a)縦溝
(７)側部枠材
(7a)縦条
(7b)前面
(7c)嵌合溝
(８)上部横枠材
(９)縁材本体
(9a)前面
(9b)後面
(9c)突条
(9d)螺孔
(10)キャップ
(10a)頂板
(10b)取付部
(10c)筒軸
(10d)筒孔
(10e)切欠部
(11)コーナキャップ
(12)(13)パネル
(12a)(13a)縁材
(14)連結部材
(14a)平板
(14b)摘み部
(14c)側面
(14d)外向突条
(14e)内向突条
(15)コーナ部材
(15a)嵌合溝
(16)連結部材
(16a)平板
(16b)摘み部
(16c)連結突条
(16d)第１外向突条
(16e)第２外向突条
【図１】
0003933443.tif 000002
【図２】
0003933443.tif 000003
【図３】
0003933443.tif 000004
【図４】
0003933443.tif 000005
【図５】
0003933443.tif 000006
【図６】
0003933443.tif 000007
【図７】
0003933443.tif 000008
【図８】
0003933443.tif 000009
【図９】
0003933443.tif 000010
【図１０】
0003933443.tif 000011